(57)【要約】【課題】左右の側鏡板を中央の鏡板と略同じ巾広の寸法で形成するものでありながら、三枚の鏡板の隣接部分に前後方向の段差が生じることなく連続した形態で開くことができる三面鏡を提供する。【解決手段】中央鏡板１と、この中央鏡板１の左右で支柱４にヒンジ５を介して中央鏡板１の前面に折り畳むことができるように連結された左右の側鏡板２、３とから成り、前記ヒンジ５、５の枢軸部は前記中央鏡板１の前面に沿って延びる基準線Ｌと同一線上に配置され、前記中央鏡板１は側鏡板２に隣接する一端部で枢軸６を介して前記基準線Ｌに沿った姿勢から後方に揺動できるように形成され、前記側鏡板２、３の左右巾が中央鏡板１の左右巾と略等しく形成され且つ側鏡板２を中央鏡板１の前面に折り畳んだときに側鏡板２の遊端縁が中央鏡板１と共に基準線Ｌより後方に押し込むことができるように形成されている構造。【選択図】        図１
2004350729.tif 000002
【特許請求の範囲】
【請求項１】
中央鏡板（１）と、この中央鏡板（１）の左右で支柱（４）、（４）にヒンジ（５）、（５）を介して中央鏡板（１）の前面に折り畳むことができるように回動可能に連結された左右の側鏡板（２）、（３）とから成り、前記ヒンジ（５）、（５）の枢軸部は中央鏡板（１）の前面に沿って左右方向に延びる基準線（Ｌ）の同一線上に配置され、前記中央鏡板（１）は側鏡板（２）に隣接する一端部で枢軸（６）を介して前記基準線（Ｌ）に沿った姿勢から後方に揺動できるように形成され、前記左右の側鏡板（２）、（３）の左右巾が中央鏡板（１）の左右巾と略等しく形成され且つ側鏡板（２）を中央鏡板（１）の前面に折り畳んだときに側鏡板（２）の遊端縁部分が中央鏡板（１）と共に基準線（Ｌ）より後方に押し込むことができるように形成され、これにより他方の側鏡板（３）が側鏡板（２）の前面に折り畳むことができるように形成されている三面鏡。
【発明の詳細な説明】
【０００１】
【発明の属する技術分野】
本発明は、中央鏡板と、その左右に折り畳み自在に配置された左右一対の側鏡板とからなる観音開き式の三面鏡に関するものである。
【０００２】
【従来の技術】
従来の観音開き式の三面鏡は図６に示すように、左右の側鏡板１１，１２が中央鏡板１３の半分の巾で形成され、不使用時に左右の側鏡板１１、１２が仮想線で示すように中央鏡板１３の前面を隠すように折り畳まれる構造となっている。これは、左右の側鏡板を中央鏡板の半分の巾より巾広くすると、折り畳まれた時に一方の側鏡板の先端部分が先に折り畳まれた側鏡板のエッジに傾斜した状態で重なって見苦しくなることに起因する。また大スペースの側鏡板を得るために、図７に示すように、左右の側鏡板１４、１５の巾を中央鏡板１６の巾と略同じ巾で形成する場合、左右の側鏡板１４、１５を中央鏡板１６の前面に折り畳めるようにするには、最後に折り畳まれる側鏡板１５のヒンジ１７が先に折り畳まれる側鏡板１４のヒンジ１８より側鏡板１４の厚分だけ前方にずらして取り付ける必要があり、そのため図８に示すように側鏡板１５を開いたときに中央鏡板１６と側鏡板１５との間にヒンジ１７をずらした分だけ前後に段差ができて中央鏡板１６と側鏡板１５との連続性が途絶え、使用勝手が悪いといった問題点がある。
【０００３】
【発明が解決しようとする課題】
そこで本発明は、左右の側鏡板の巾を中央鏡板と略同じ巾広の寸法で形成したものでありながら、左右の側鏡板を開いたときに中央鏡板との間に前後方向の段差を生じることなく、従来の観音開き式の三面鏡と同じように三枚の鏡板が連続した形態で開くことができ、且つ不使用時には中央の鏡板に対して左右の鏡板を密に重ね合わせた状態でスマートに折り畳むことのできる新規な機構を備えた三面鏡を提供することを主たる目的とするものである。
【０００４】
【課題を解決するための手段】
上記目的を達成する為に本発明では次のような技術的手段を講じた。即ち、本発明に係る三面鏡にあっては、中央鏡板１と、この中央鏡板１の左右で支柱４、４にヒンジ５、５を介して中央鏡板１の前面に折り畳むことができるように回動可能に連結された左右の側鏡板２、３とから成り、前記ヒンジ５、５の枢軸部は前記中央鏡板１の前面に沿って左右方向に延びる基準線Ｌと同一線上に配置され、前記中央鏡板１は側鏡板２に隣接する一端部で枢軸６を介して前記基準線Ｌに沿った姿勢から後方（背面側）に揺動できるように形成され、前記左右の側鏡板２、３の左右巾が中央鏡板１の左右巾と略等しく形成され且つ側鏡板２を中央鏡板１の前面に折り畳んだときに側鏡板２の遊端縁が中央鏡板１と共に基準線Ｌより後方に押し込むことができるように形成され、これにより他方の側鏡板３が側鏡板２の前面に密に折り畳むことができるように形成されている構造とした。
【０００５】
前記中央鏡板１が基準線Ｌと平行な姿勢から前方に回動することを阻止するストッパー機構８を設けるのがよい。また、中央鏡板１が背面部からスプリング７により常時前方に向かって付勢するように形成するのが好ましい。
【０００６】
【発明の実施の形態】
以下本発明にかかる三面鏡を図１〜図５で示した実施例に基づき説明する。本発明に係る三面鏡は、中央鏡板１と、この中央鏡板１の左右で支柱４、４にヒンジ５、５を介して中央鏡板１の前面に折り畳むことができるように回動可能に連結された左右の側鏡板２、３とから成る。前記支柱４、４は三枚の鏡板を支えるに十分な強度を備えた木材又は金属材で形成され、枠板９と共に台枠１０に固定されている。また各鏡板１、２、３は展開姿勢においてその前面に鏡面がでるように形成されている。
【０００７】
前記ヒンジ５、５は、その枢軸部が中央の鏡板１の前面に沿って左右方向に直線的に延びる基準線Ｌの同一線上に配置されている。
【０００８】
前記中央鏡板１は、側鏡板２に隣接する一端部で枢軸６を介して前記基準線Ｌに沿った姿勢から後方（背面側）に揺動できるように形成されている。また、前記左右の鏡板２、３の左右巾が中央鏡板１の左右巾と略等しくなるように巾広で形成され且つ側鏡板２を中央鏡板１の前面に折り畳んだときに側鏡板２の遊端縁部分が中央鏡板１と共に基準線Ｌより後方に押し込むことができるように形成されており、これにより他方の側鏡板３が側鏡板２の前面に密に折り畳むことができるように形成されている。
【０００９】
また中央鏡板１が基準線Ｌと平行な姿勢から前方に回動することを阻止するストッパー機構８が設けられている。本実施例では、このストッパー機構８は図４並びに図５で示すように、バネによって突出方向に付勢された指向性のあるパッチリ８ａが中央の鏡板１の側端面に設けた凹嵌部１ａに係合して前方への回動を阻止するように形成されているが、これに代えて、例えば中央の鏡板１の枢軸部６を、回動を規制するストッパー機構を組み込んだ蝶番を利用することによって形成することも可能である。
【００１０】
更に本実施例では、前記中央鏡板１が、背面部からスプリング７により常時前方に向かって軽く付勢されている。
【００１１】
上記の構成において、図２の展開姿勢から左右の側鏡板２、３を閉じる場合は、先ず左方の側鏡板２を中央の鏡板１の前面に閉じてその遊端部が基準線Ｌより内側になるまで中央の鏡板１と共に押し込み、その後、図１に示すように右方の側鏡板３を閉じればよい。これにより左右の側鏡板２、３を中央鏡板１の前面に互いに重ね合わせた状態で閉じることができる。また左右の鏡板１、２を図２のように展開して使用するときは、左右のヒンジ５、５の枢軸部が中央の鏡板１の前面に沿って左右方向に延びる基準線Ｌの同一線上に配置されているので、中央の鏡板１と左右鏡板２、３との間に前後方向の段差が生じることなく、三枚の鏡板１、２、３の隣接部分が連続した形態で開くことができる。
【００１２】
以上本発明の実施例について説明したが、本発明は必ずしもこれらの実施例構造のみに限定されるものではない。例えば中央の鏡板１を常時前方に向かって付勢するスプリング７を省略することも可能である。この場合、左方の側鏡板２を開けるときに中央の鏡板１も同時に基準線Ｌまで引き出せることができるようにマグネットキャッチを側鏡板２と中央鏡板１との間にセットするか、或いは中央鏡板１の枢軸部６に前方への回動を付勢するバネを組み込んでおくのがよい。また、左方の側鏡板２を閉じたときにその姿勢を仮保持するキャッチを設けてもよい。その他本発明では、その構成要件を備え、かつ本発明の目的を達成し、下記の効果を奏する範囲内において適宜改変して実施することができるものである。
【００１３】
【発明の効果】
本発明は上記の如く構成したものであるから、左右の側鏡板を中央の鏡板と略同じ巾広の寸法で形成するものでありながら、三枚の鏡板の隣接部分に前後方向の段差が生じることなく連続した形態で開くことができ、且つ不使用時には左右の側鏡板を中央鏡板の前面に互いに重ね合わせた状態でコンパクトに閉じることができる、といった効果がある。
【図面の簡単な説明】
【図１】本発明に係る三面鏡の一実施例を示す横断面図であって、左右の側鏡板を閉じた姿勢を示す。
【図２】上記三面鏡の左右の側鏡板を展開した状態を示す横断面図。
【図３】上記三面鏡の主要部の斜視図。
【図４】上記三面鏡の左右の側鏡板を閉じた状態における要部の拡大断面図。
【図５】上記三面鏡の左右の側鏡板を展開した状態における要部の拡大断面図。
【図６】従来の観音開き式の三面鏡を示す横断面図。
【図７】本発明が課題とする問題点を説明する為の三面鏡の構造を示す断面図。
【図８】側鏡板を開いた状態を示す図７同様の断面図。
【符号の説明】
１  中央鏡板
２  側鏡板
３  側鏡板
４  支柱
５  ヒンジ
６  中央鏡板の枢軸
７  スプリング
８  ストッパー機構
Ｌ  基準線
【図１】
2004350729.tif 000003
【図２】
2004350729.tif 000004
【図３】
2004350729.tif 000005
【図４】
2004350729.tif 000006
【図５】
2004350729.tif 000007
【図６】
2004350729.tif 000008
【図７】
2004350729.tif 000009
【図８】
2004350729.tif 000010